(57)【要約】【課題】  各販売企画毎に適切な販売店を抽出し、抽出された販売店に適した販売促進物を提供できるようにする。【解決手段】  この販促物作成システムは、商品を販売する期間が選択されると、この期間に販売される商品名と、商品名の価格とを配置した文書を生成する。販促物作成システムは、選択された商品名の商品を販売する販売店の端末を特定し、特定した端末へ、生成した文書を提示する。この販促物作成システムにおいては、この提示された文書が端末を用いて編集され、編集された文書が印刷される。【選択図】        図１
2005326931.tif 000002
【特許請求の範囲】
【請求項１】
期間と、この期間に販売される複数の商品の商品名と、該商品の価格と、該商品の販売店の端末を示す端末識別子と、を記憶する記憶手段と、
前記記憶手段に記憶された期間を、入力される指示に応じて選択する選択手段と、
前記選択手段により選択された期間に販売される商品名と、該選択された商品名の商品の価格とを前記記憶手段から読出し、読み出した商品名と価格とを配置した文書を生成する文書生成手段と、
前記選択手段により選択された期間に販売される商品の販売店の端末を、前記記憶手段に記憶されている端末識別子から特定する端末特定手段と、
前記文書生成手段により生成された文書を、前記端末特定手段により特定された端末へ提示する提示手段と、
前記提示手段により提示された文書を前記端末を用いて編集する編集手段と、
前記編集手段により編集された文書を印刷する印刷手段と
を有する販促物作成システム。
【請求項２】
前記記憶手段は、前記端末識別子で特定される端末を有する販売店のランクを前記端末識別子に対応付けて記憶し、
前記編集手段は、編集される文書が提示された端末の端末識別子に対応付けて前記記憶手段に記憶されている販売店のランクに従って、文書を編集する際の自由度を異ならせること
を特徴とする請求項１に記載の販促物作成システム。
【請求項３】
前記記憶手段は所定のレイアウトの文書を表すテンプレートファイルを記憶し、
前記文書生成手段は、読み出した商品名と商品の価格とを、前記記憶手段に記憶されたテンプレートファイルが表す文書の所定の領域に配置して文書を生成すること
を特徴とする請求項１に記載の販促物作成システム。
【発明の詳細な説明】
【技術分野】
【０００１】
本発明は、販売促進物を作成する技術に関する。
【背景技術】
【０００２】
多くの販売店を加盟店として持つ組織では、販売店を統括する本部が販売の企画を行い、この企画に沿ったチラシ広告を作成して配布することが行われている。近年、このようなチェーン店における販売促進物の作成を支援する技術も考案されており、例えば、特許文献１には、加盟している販売店向けのチラシ広告の作成を支援するシステムが記載されている。このシステムによれば、例えば、特売となった商品について、チラシの広告案を販売店に提示し、このチラシ広告案に対する販売店の意見を集約して効果の高い広告を作成することが可能となっている。
【特許文献１】特開２００２−１２３６６６号公報
【発明の開示】
【発明が解決しようとする課題】
【０００３】
ところで、ある商品についての販売企画をたてた場合、同じチェーンに加盟している販売店であっても、この商品について、扱っていない販売店が存在する場合がある。特許文献１に記載されているシステムにおいては、加盟している販売店に対して、このような状況を考慮することなく、一律にチラシ広告案の提示が行われる。ある商品についての販売企画があったとしても、その商品を扱っていない場合には、その商品についてのチラシ広告は販売店にとって無意味なものになる。
【０００４】
本発明は、上述した背景の下になされたものであり、その目的は、各販売企画毎に適切な販売店を抽出し、抽出された販売店に適した販売促進物を提供できるようにすることにある。
【課題を解決するための手段】
【０００５】
上述した課題を解決するために本発明は、期間と、この期間に販売される複数の商品の商品名と、該商品の価格と、該商品の販売店の端末を示す端末識別子と、を記憶する記憶手段と、前記記憶手段に記憶された期間を、入力される指示に応じて選択する選択手段と、前記選択手段により選択された期間に販売される商品名と、該選択された商品名の商品の価格とを前記記憶手段から読出し、読み出した商品名と価格とを配置した文書を生成する文書生成手段と、前記選択手段により選択された期間に販売される商品の販売店の端末を、前記記憶手段に記憶されている端末識別子から特定する端末特定手段と、前記文書生成手段により生成された文書を、前記端末特定手段により特定された端末へ提示する提示手段と、前記提示手段により提示された文書を前記端末を用いて編集する編集手段と、前記編集手段により編集された文書を印刷する印刷手段とを有する販促物作成システムを提供する。
この販促物作成システムは、商品を販売する期間が選択されると、この期間に販売される商品名と、商品名の価格とを配置した文書を生成する。販促物作成システムは、選択された商品名の商品を販売する販売店の端末を特定し、特定した端末へ、生成した文書を提示する。この販促物作成システムにおいては、この提示された文書が端末を用いて編集され、編集された文書が印刷される。
【発明の効果】
【０００６】
本発明によれば、各販売企画毎に適切な販売店を抽出し、抽出された販売店に適した販売促進物を提供できるようになる。
【発明を実施するための最良の形態】
【０００７】
以下、図面を参照して、この発明の一実施形態について説明する。
［実施形態の構成］
図１は、本発明の一実施形態に係わる販売促進物作成システムの全体構成を例示した図である。図１において、ネットワーク１０は、例えば、ＷＡＮ（Wide Area Network）またはインターネット等の通信ネットワークである。このネットワーク１０には、販促物作成装置１００と、販売店装置２００Ａ，２００Ｂ，２００Ｃとが接続されており、各装置は、ネットワーク１０を介して互いに通信可能となっている。また、販促物作成装置１００には、複合機３００が接続されている。複合機３００は、文書の印刷機能や複写機能、文書を光学的に読み取り、読み取った文書を表す画像データを生成するスキャン機能等、複数の機能を併せ持つ装置である。複合機３００は、販促物作成装置１００から供給されたデータに従って文書を印刷する。
【０００８】
販売店装置２００Ａ，２００Ｂ，２００Ｃは、チェーンに属する販売店４００Ａ，４００Ｂ，４００Ｃに配置されている装置であり、ＣＰＵ、ＲＯＭ、ＲＡＭ、ハードディスクなどの記憶装置、ネットワークを介して通信を行う通信インターフェースとして機能する通信部、当該装置を操作するためのキーボード、液晶ディスプレイなどのディスプレイ装置等を備えた、所謂コンピュータ装置である。なお、本実施形態においては、販売店装置２００Ａ，２００Ｂ，２００Ｃの構成は、各々同じ構成であるため、各販売店装置を区別する必要の無い場合には、販売店装置２００と称する。販売店装置２００のＲＯＭには、各部の制御や管理を司るＯＳ（Operating System）プログラムが記憶されており、ハードディスクには、販促物作成装置１００との間で各種データやメッセージの授受を行い、販促物の作成支援を行う機能を実現する販促物作成支援プログラムが記憶されている。また、ハードディスクには、各販売店を一意に識別するための販売店識別子が記憶されている。例えば、販売店装置２００Ａには販売店４００Ａを一意に識別する識別子「Ａ００１」、販売店装置２００Ｂには販売店４００Ｂを一意に識別する識別子「Ｂ００１」、販売店装置２００Ｃには販売店４００Ｃを一意に識別する識別子「Ｃ００１」が記憶されている。ＣＰＵは、ＲＯＭに記憶されているＯＳプログラムを読出し、読出したプログラムをＲＡＭを作業エリアとして実行し、販売店装置２００の各部を制御する。また、ＣＰＵは、ハードディスクに記憶されている販促物作成支援プログラムを読出して起動する。ＣＰＵがこのプログラムを起動すると、販促物の作成支援を行う機能が実現する。
【０００９】
次に、図２に示すブロック図を参照しながら、販促物作成装置１００の構成について説明する。図２に示したように、販促物作成装置１００の各部は、バス１０１に接続されており、このバス１０１を介して各部間で通信を行う。Ｕ／Ｉ（ユーザインターフェース）部１０７は、販促物作成装置１００を操作するためのキーボードやマウスなどの入力装置を備えている。表示部１０８は、例えば、液晶ディスプレイ等の表示デバイスを有しており、ＣＰＵ１０２の制御の下、販促物作成装置１００を操作するためのメニュー画面等、各種画面を表示する。通信部１０６は、ネットワーク１０を介して通信を行う通信インターフェースとしての機能し、ＣＰＵ１０２の制御の下、ネットワーク１０を介してデータ通信を行う。また、通信部１０６は、複合機３００と通信を行う通信インターフェースとしても機能し、ＣＰＵ１０２の制御の下、複合機３００と通信部１０６とを接続している通信線を介して通信を行う。
【００１０】
記憶部１０５は、データを永続的に記憶するハードディスク等の記憶装置を具備しており、販売促進物（以下、販促物と略す）の作成を行う機能を実現する販促物作成プログラムを記憶している。また、記憶部１０５は、販促物であるチラシ広告の雛形を表すテンプレートファイルを記憶している。図３は、テンプレートファイルが表すチラシ広告の雛形を例示した図である。雛形は、特売商品の商品名と価格が配置される領域Ｃ１０，Ｃ１１と、定番商品の商品名と価格が配置される領域Ｃ２１，Ｃ２２，Ｃ２３と各販売店の情報が配置される領域Ｃ３０とに分かれている。
【００１１】
また、記憶部１０５は、各種テーブルが記憶されている。図４は、記憶部１０５に記憶されている販売店情報テーブルＴＢ１のフォーマットを例示した図である。販売店情報テーブルＴＢ１においては、「販売店名」と、「販売店識別子」と、「販売店ランク」と、「販売店情報ファイル名」と、「編集チラシファイル名」と、「印刷枚数」の各項目が互いに関連付けられている。これらの項目のうち、「販売店名」のフィールドには、チェーンに属する販売店の販売店名が格納され、「販売店識別子」のフィールドには、この販売店の販売店識別子が格納される。また、これらの項目のうち、「販売店ランク」のフィールドには、例えば、「Ａ」、「Ｂ」、「Ｃ」といったように、取引量などによって付けられた販売店のランクを示すデータが格納され、「販売店情報ファイル名」のフィールドには、販売店の店名や電話番号、ＦＡＸ番号などを示すデータのファイル名が格納される。また、これらの項目のうち「編集チラシファイル名」のフィールドには、各販売店のチラシ広告を表すファイルのファイル名が格納され、「印刷枚数」のフィールドには各販売店毎に印刷されるチラシ広告の枚数を示すデータが格納される。
【００１２】
図５は、記憶部１０５に記憶されている商品カテゴリテーブルのフォーマットを例示した図である。この商品カテゴリテーブルにおいては、「商品カテゴリ」と、「販売店識別子」とが関連付けられて格納されている。これらの項目のうち「商品カテゴリ」のセルは、商品を分類した場合の分類項目である、「飲料」、「酒類」、「生鮮食品」といったカテゴリ名が格納される。また、「販売店識別子」のフィールドには、商品カテゴリが表すカテゴリの商品を販売している販売店の販売店識別子が格納される。例えば、販売店識別子が「Ａ００１」である販売店４００Ａが、牛乳やジュースなどの「飲料」を販売している店である場合、この販売店識別子は、図５に示したように、商品カテゴリが「飲料」となっている商品カテゴリテーブルＴＢ２１に格納される。また、販売店識別子が「Ｂ００１」である販売店４００Ｂが、ビールや発泡酒などの「酒類」を販売している店である場合、この販売店識別子は、図５に示したように、商品カテゴリが「酒類」となっている商品カテゴリテーブルＴＢ２２に格納される。また、販売店識別子が「Ｃ００１」である販売店４００Ｃが、肉や魚などの「生鮮食品」を販売している店である場合、この販売店識別子は、図５に示したように、商品カテゴリが「生鮮食品」となっている商品カテゴリテーブルＴＢ２３に格納される。
【００１３】
図６は、記憶部１０５に記憶されている特売企画テーブルＴＢ３のフォーマットを例示した図である。特売企画テーブルＴＢ３においては、商品名のフィールドと、特売の期間毎にフィールドが設けられている。例えば、期間［４月１日−４月７日］の間、○○牛乳が９９円で特売を行うという特売企画が立てられた場合、図６に示したように特売企画テーブルＴＢ３では、○○牛乳という商品名が格納されているレコードにおいて、期間［４月１日−４月７日］のフィールドのセルに○○牛乳の特売価格が格納される。
【００１４】
図７は、記憶部１０５に記憶されている定番商品テーブルＴＢ４のフォーマットを例示した図である。定番商品テーブルＴＢ４は、各カテゴリ毎に「商品名」と、「商品価格」の各項目が互いに関連付けられて格納されるようになっている。例えば、「飲料」のカテゴリに含まれる定番商品の商品名は、「飲料」フィールド内の「商品名」フィールドに格納され、この商品の価格は「飲料」フィールド内の「商品価格」フィールドに格納される。また、「酒類」のカテゴリに含まれる定番商品の商品名は、「酒類」フィールド内の「商品名」フィールドに格納され、この商品の価格は「酒類」フィールド内の「商品価格」フィールドに格納される。
【００１５】
図８は、記憶部１０５に記憶されている商品一覧テーブルＴＢ５のフォーマットを例示した図である。商品一覧テーブルＴＢ５は、特売商品や定番商品といった区別をせずに、各カテゴリ毎に「商品名」が関連付けられて格納されるようになっている。例えば、「飲料」のカテゴリに含まれる商品の商品名は、「飲料」フィールド内の「商品名」フィールドに格納され、「酒類」のカテゴリに含まれる商品の商品名は、「酒類」フィールド内の「商品名」フィールドに格納される。
【００１６】
ＲＯＭ１０３には、販促物作成装置１００の各部の制御や管理を司るＯＳ（Operating System）プログラムが記憶されている。ＣＰＵ１０２は、ＲＯＭ１０３に記憶されているＯＳプログラムを読出し、読出したプログラムをＲＡＭを作業エリアとして実行する。ＣＰＵ１０２はＯＳプログラムを実行すると、販促物作成装置１００の各部を制御する。また、ＣＰＵ１０２は、記憶部１０５に記憶されている販促物作成プログラムを読出して起動する。ＣＰＵ１０２がこのプログラムを起動すると、販促物の作成を行う機能が実現する。
【００１７】
［実施形態の動作］
次に、本実施形態の動作について説明する。なお、以下の説明において、販売店装置２００においては、既に、ＯＳプログラムと販促物作成支援プログラムが起動されている場合を想定する。
【００１８】
（基本となるチラシ広告の作成）
販促物作成装置１００の操作者（以下、作成者と称する）により、Ｕ／Ｉ部１０７が操作され、販促物作成プログラムの起動指示が入力されると、ＣＰＵ１０２は記憶部１０５から販促物作成プログラムを読出して起動する。ＣＰＵ１０２は販促物作成プログラムを起動すると、作成者にメニュー操作を行わせるためのメニューバーを表示部１０８に表示させる（図９：ステップＳＡ１）。
【００１９】
作成者によりＵ／Ｉ部１０７のマウスが操作され、メニューバーの「特売チラシ作成」の項目がクリックされると（ステップＳＡ４；ＹＥＳ）、記憶部１０５に記憶されている特売企画テーブルＴＢ３が読出され、このテーブルの内容が表形式で表示される。作成者によりＵ／Ｉ部１０７のマウスが操作され、特売期間の日付が格納されているセルがダブルクリックされると、ＣＰＵ１０２は、ダブルクリックされたフィールドにおいて、特売価格が格納されているセルを特定し、特定したセルに格納されている特売価格とこのセルを含むレコードに格納されている商品名とを読出す（ステップＳＡ５）。例えば、期間［４月１日−４月７日］のフィールドがダブルクリックされた場合、「○○牛乳」のレコードと、「○○発泡酒」のレコードとが特定され、「○○牛乳」という商品名および「９９円」という価格と、「○○発泡酒」という商品名および「１２８円」という価格とが読出される。
【００２０】
ＣＰＵ１０２は、特売企画テーブルＴＢ３から商品名と特売企画とを読出すと、次に、記憶部１０５に記憶されているテンプレートファイルを読出し、このテンプレートファイルが表す雛形の領域Ｃ１０と、領域Ｃ１１とに、読出した商品名と特売価格とを配置し、表示する。例えば、「○○牛乳」という商品名および「９９円」という価格と、「○○発泡酒」という商品名および「１２８円」という価格とが読出された場合、図１６に例示したチラシ広告が表示部１０８に表示される（ステップＳＡ６）。
【００２１】
作成者によりＵ／Ｉ部１０７のマウスが操作され、メニューバーの「印刷日」の項目がクリックされると（ステップＳＡ２；ＹＥＳ）、図１７に示したように、テキストボックスが配置された印刷日設定メニューが表示される（図１０：ステップＳＡ２０）。作成者の操作により印刷日がテキストボックスに入力された後（ステップＳＡ２１；ＹＥＳ、ステップＳＡ２２）、メニュー画面に配置されている「ＯＫ」ボタンをクリックする旨の操作が行われると（ステップＳＡ２３；ＹＥＳ）、ＣＰＵ１０２は、入力された印刷日を記憶部１０５に記憶させる（ステップＳＡ２４）。
【００２２】
次に、作成者によりＵ／Ｉ部１０７のマウスが操作され、メニューバーの「定番リスト」の項目がクリックされると（ステップＳＡ７；ＹＥＳ）、定番商品テーブルＴＢ４に格納されているデータが表示される。作成者が、表示されたリストの商品名をドラッグし、例えば、雛形の領域Ｃ２１にドロップする旨の操作を行うと、ドラッグされた商品名と、この商品名に対応付けて定番商品テーブルＴＢ４に格納されている価格とが、雛形の領域Ｃ２１の部分に配置される（ステップＳＡ８）。
【００２３】
作成者により各領域に商品名と価格とが配置された後、メニューバーの「配信」の項目がクリックされると（ステップＳＡ９；ＹＥＳ）、ＣＰＵ１０２は、作成されたチラシ広告を表すチラシファイルを、販売店装置２００へ配信する（ステップＳＡ１０）。具体的には、まずＣＰＵ１０２は、チラシ広告に配置された商品名を抽出する。次にＣＰＵ１０２は、抽出した商品名を検索キーにして、商品一覧テーブルＴＢ５を検索する。ＣＰＵ１０２は、該当する商品名を見つけると、検索キーとした商品名に対応する商品カテゴリ名を商品一覧テーブルＴＢ５から抽出する。例えば、「○○牛乳」という商品名が特売商品としてチラシ広告に配置されていた場合、「飲料」というカテゴリ名が抽出される。また、例えば、「＆＆チューハイ」という商品名が定番商品としてチラシ広告に配置されていた場合、「酒類」というカテゴリ名が抽出される。
【００２４】
ＣＰＵ１０２は、チラシ広告に配置されている全ての商品名についてカテゴリ名を抽出し終えると、次に、この抽出したカテゴリ名の商品を販売している販売店を特定する。具体的には、ＣＰＵ１０２は、抽出されたカテゴリ名を格納している商品カテゴリテーブルを検索し、カテゴリ名を格納している商品カテゴリテーブルを見つけると、この見つけられたテーブルに格納されている販売店識別子を抽出する。ＣＰＵ１０２は、販売店識別子を抽出すると、この販売店識別子で特定される販売店装置２００へ、チラシファイルを送信する。例えば、抽出されたカテゴリ名「飲料」を検索キーとすると、飲料を販売している販売店の情報を格納している商品カテゴリテーブルＴＢ２１が検索される。ＣＰＵ１０２は、商品カテゴリテーブルＴＢ２１を見つけると、この商品カテゴリテーブルＴＢ２１に格納されている販売店識別子「Ａ００１」を抽出する。また、抽出されたカテゴリ名「酒類」を検索キーとすると、酒類を販売している販売店の情報を格納している商品カテゴリテーブルＴＢ２２が検索される。ＣＰＵ１０２は、商品カテゴリテーブルＴＢ２２を見つけると、この商品カテゴリテーブルＴＢ２２に格納されている販売店識別子「Ｂ００１」を抽出する。ＣＰＵ１０２は、販売店識別子を抽出し終えると、販売店識別子「Ａ００１」で特定される販売店装置２００Ａと、販売店識別子「Ｂ００１」で特定される販売店装置２００Ｂとへ、チラシファイルを送信する。なお、チラシ広告に配置されている商品のカテゴリが、「飲料」と「酒類」のみである場合、ステップＳＡ１０において「生鮮食品」というカテゴリ名は抽出されないので、ここで、生鮮食品を販売している販売店の情報を格納している商品カテゴリテーブルＴＢ２３が検索されず、販売店識別子「Ｃ００１」も抽出されないので、チラシファイルは販売店装置２００Ｃには送信されない。
【００２５】
（販売店装置２００Ａにおける動作）
次に、販売店装置２００Ａにおいてチラシファイルが受信された際の動作について説明する。チラシファイルが販売店装置２００Ａにて受信されると、販売店装置２００Ａは、図１８に示したように、チラシファイルが表す画像と、メニュー操作を行わせるためのメニューバーとを表示する（図１１：ステップＳＢ１）。
【００２６】
販売店装置２００Ａの操作者（例えば、販売店の店員）によりマウスの操作が行われ、マウスカーソルがチラシ広告の領域Ｃ１０に移動された後、操作者によりマウスの右ボタンがクリックされると（ステップＳＢ２；ＹＥＳ）、図１９に例示したように、チラシ広告の編集を行うための編集メニューが表示される（ステップＳＢ３）。操作者により、編集メニューの「商品変更」の項目がクリックされると（ステップＳＢ４；ＹＥＳ）、販売店装置２００Ａは、記憶している販売店識別子「Ａ００１」を含む、商品変更メッセージを販促物作成装置１００へ送信する（ステップＳＢ５）。
【００２７】
このメッセージが販促物作成装置１００にて受信されると、ＣＰＵ１０２は、このメッセージに含まれている販売店識別子を抽出し、この販売店識別子を検索キーにして、販売店情報テーブルＴＢ１の販売店識別子フィールドを検索する。そして、ＣＰＵ１０２は、検索キーとした販売店識別子を見つけると、検索キーとした販売店識別子に対応付けて格納されている販売店ランクを読出す（図１２：ステップＳＣ１）。
【００２８】
次にＣＰＵ１０２は、販売店識別子で特定される販売店が、チラシ広告に記載の商品を変更することが可能なランクの販売店であるか否かを、読出した販売店ランクに基づいて判断する。具体的には、ＣＰＵ１０２は、販売店ランクが「Ａ」である場合、販売店は商品の変更が許可されていると判断し（ステップＳＣ２；ＹＥＳ）、販売店ランクが「Ａ」以外である場合、販売店は商品の変更が許可されていないと判断する（ステップＳＣ２；ＮＯ）。図４に示したように、販売店情報テーブルＴＢ１において、販売店識別子「Ａ００１」には販売店ランク「Ａ」が対応付けて格納されているので、ＣＰＵ１０２は商品の変更が許可されていると判断する。ＣＰＵ１０２は、ステップＳＣ２でＹＥＳと判断すると、特売商品テーブルＴＢ３を読出し、読出したテーブルを販売店装置２００Ａに送信する（ステップＳＣ３）。
【００２９】
この特売商品テーブルＴＢ３が販売店装置２００Ａにて受信されると（ステップＳＢ６；ＹＥＳ）、特売商品テーブルＴＢ３に格納されているデータが販売店装置２００Ａにおいて表形式で表示される（ステップＳＢ７）。販売店装置２００Ａの操作者が、表示されたリストの商品名をドラッグし、例えば、チラシ広告の領域Ｃ１０にドロップする旨の操作を行うと（ステップＳＢ８；ＹＥＳ）、ドラッグされた商品名と、この商品名に対応付けて特売商品テーブルＴＢ３に格納されている価格とが、チラシ広告の領域Ｃ１０の部分に配置される（ステップＳＢ９）。
【００３０】
次に、操作者によりメニューバーの「送信」の項目をクリックする旨の操作が行われると（ステップＳＢ１１；ＹＥＳ）、まず、販売店装置２００Ａは、表示されているチラシ広告を表す編集チラシファイルを生成する。次に販売店装置２００Ａは、生成した編集チラシファイルと、記憶している販売店識別子「Ａ００１」とを販促物作成装置１００へ送信する（ステップＳＢ１２）。
【００３１】
販促物作成装置１００にて、この販売店識別子「Ａ００１」と編集チラシファイルとが受信されると、ＣＰＵ１０２は、編集チラシファイルを記憶部１０５に記憶させる（図１３：ステップＳＤ１）。次に、ＣＰＵ１０２は、販売店識別子を検索キーにして販売店情報テーブルＴＢ１の販売店識別子フィールドを検索し、検索キーとした販売店識別子が格納されているセルを見つけると、このセルに対応付けて、編集チラシファイルのファイル名を販売店情報テーブルＴＢ１の編集チラシファイル名フィールドに格納する（ステップＳＤ２）。
【００３２】
（販売店装置２００Ｂにおける動作）
次に、販売店装置２００Ｂにおいてチラシファイルが受信された際の動作について説明する。チラシファイルが販売店装置２００Ｂにて受信されると、販売店装置２００Ｂは、図１８に示したように、チラシファイルが表す画像と、メニュー操作を行わせるためのメニューバーとを表示する（図１１：ステップＳＢ１）。
【００３３】
販売店装置２００Ｂの操作者（例えば、販売店の店員）によりマウス操作が行われ、マウスカーソルが領域Ｃ１０に移動された後、操作者によりマウスの右ボタンがクリックされると（ステップＳＢ２；ＹＥＳ）、図１９に例示したように、チラシ広告の編集を行うための編集メニューが表示される（ステップＳＢ３）。操作者により、編集メニューの「価格変更」の項目がクリックされると（ステップＳＢ１０；ＹＥＳ）、まず販売店装置２００Ｂは、商品価格を入力するためのテキストボックスが配置されたメニュー画面（図２０参照）を表示する（ステップＳＢ１４）。操作者の操作により変更後の商品価格がテキストボックスに入力された後、メニュー画面に配置されている「ＯＫ」ボタンをクリックする旨の操作が行われると（ステップＳＢ１８；ＹＥＳ）、販売店装置２００Ｂは、マウスカーソルがある部分に配置されている商品名と、記憶している販売店識別子と、入力された価格とを含む、価格変更メッセージを販促物作成装置１００へ送信する（ステップＳＢ１９）。
【００３４】
このメッセージが販促物作成装置１００にて受信されると、ＣＰＵ１０２は、このメッセージに含まれている販売店識別子を抽出し、この販売店識別子を検索キーにして、販売店情報テーブルＴＢ１の販売店識別子フィールドを検索する。そして、ＣＰＵ１０２は、検索キーとした販売店識別子を見つけると、検索キーとした販売店識別子に対応付けて格納されている販売店ランクを読出す（図１４：ステップＳＥ１）。
【００３５】
次にＣＰＵ１０２は、販売店識別子で特定される販売店が、チラシ広告に記載の商品を変更することが可能なランクの販売店であるか否かを、読出した販売店ランクに基づいて判断する。具体的には、ＣＰＵ１０２は、販売店ランクが「Ａ」または「Ｂ」である場合、販売店は商品の価格変更を許可されていると判断し（ステップＳＥ２：ＹＥＳ）、販売店ランクが「Ｃ」である場合、販売店は商品価格の変更を許可されていないと判断する（ステップＳＥ２：ＮＯ）。販売店情報テーブルＴＢ１において、販売店識別子「Ｂ００１」には販売店ランク「Ｂ」が対応付けて格納されているので、ＣＰＵ１０２は、商品価格変更が許可されていると判断する。ＣＰＵ１０２は、ステップＳＥ２でＹＥＳと判断すると、価格変更を許可する旨の価格変更許可メッセージを販売店装置２００Ｂへ送信する（ステップＳＥ３）。なお、ＣＰＵ１０２がステップＳＥ２でＮＯと判断すると、価格変更を許可しない旨の価格変更不許可メッセージが販売店装置２００へ送信される（ステップＳＥ４）。
【００３６】
価格変更許可メッセージが販売店装置２００Ｂにて受信されると（ステップＳＢ１８；ＹＥＳ）、入力された価格がチラシ広告の領域Ｃ１０の部分に配置される（ステップＳＢ２１）。次に、操作者によりメニューバーの「送信」の項目をクリックする旨の操作が行われると（ステップＳＢ１１；ＹＥＳ）、まず、販売店装置２００Ａは、表示されているチラシ広告を表す編集チラシファイルを生成する。次に販売店装置２００Ａは、生成した編集チラシファイルと、記憶している販売店識別子「Ｂ００１」とを販促物作成装置１００へ送信する（ステップＳＢ１２）。
【００３７】
販促物作成装置１００にて、この販売店識別子「Ｂ００１」と編集チラシファイルとが受信されると、ＣＰＵ１０２は、編集チラシファイルを記憶部１０５に記憶させる（図１３：ステップＳＤ１）。次に、ＣＰＵ１０２は、販売店識別子を検索キーにして販売店情報テーブルＴＢ１の販売店識別子フィールドを検索し、検索キーとした販売店識別子が格納されているセルを見つけると、このセルに対応付けて、編集チラシファイルのファイル名を販売店情報テーブルＴＢ１の編集チラシファイル名フィールドに格納する（ステップＳＤ２）。
【００３８】
ＣＰＵ１０２は、日時を計時し、計時している日付が、記憶部１０５に記憶された印刷日、即ちチラシ広告を印刷する日付となると、チラシ広告の印刷を開始する。具体的には、ＣＰＵ１０２は、販売店情報テーブルＴＢ１の編集チラシファイル名フィールドにおいて、ファイル名が格納されているセルを検索する（ステップＳＦ１）。ＣＰＵ１０２は、ファイル名が格納されているセルを見つけると、ファイル名に対応付けて販売店情報フィールドに格納されている販売店情報データのファイル名を読出し、読出したファイル名で特定される販売店データを記憶部１０５から読出す（ステップＳＦ２）。次にＣＰＵ１０２は、読出した販売店情報データが表す情報（例えば、販売店名、販売店の電話番号や販売店のＦＡＸ番号）が、チラシ広告の領域Ｃ３０の部分に配置された画像を生成する（ステップＳＦ３）。
【００３９】
次にＣＰＵ１０２は、ファイル名に対応付けて格納されている印刷枚数データを読出す（ステップＳＦ４）。ＣＰＵ１０２は、生成した画像を印刷するための印刷データを生成し（ステップＳＦ５）、この印刷データと共に、読出した印刷枚数データを複合機３００へ送信する（ステップＳＦ６）。例えば、編集チラシファイル名が「chirashi101」である編集チラシファイルの場合、販売店４００Ａの情報が記載されたチラシ広告を印刷するための印刷データと、印刷枚数「５０００」を表す印刷枚数データとが複合機３００へ送信され、複合機３００において、販売店４００Ａ用のチラシ広告が５０００枚分、印刷される。また、編集チラシファイル名が「chirashi201」であるファイル名の場合、販売店４００Ｂの情報が記載されたチラシ広告を印刷するための印刷データと、印刷枚数「１０００」を表す印刷枚数データとが複合機３００へ送信され、複合機３００において、販売店４００Ｂ用のチラシ広告が１０００枚分、印刷される。
【００４０】
以上説明したように本実施形態によれば、各販売企画毎に適切な販売店を抽出し、抽出された販売店に適した販売促進物を提供できるようにすることができる。また、販売企画に沿った販売促進物であって個々の販売店の要望に応じて、商品や商品価格を変更した即した販売促進物を印刷し、各販売店に提供することが可能となる。なお、本実施形態では、チラシ広告の印刷は複合機３００で行われるので、チラシ広告の内容の変更が容易となり、印刷と比較して、多数の種類で少部数の印刷物を容易に提供できる。
【００４１】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００４２】
記憶部１０５は、複数のハードディスク装置を備え、各テーブル毎に、テーブルを記憶するハードディスク装置を1つづつ割当てるようにしてもよい。
【００４３】
印刷が行われるまでの日付までの間、販売店装置２００により、チラシ広告に記載されている価格や商品の変更を行えるようにしてもよい。販売店の事情により、チラシ広告の内容を急遽変更したい場合が多々生じる。印刷により大量にチラシ広告を作成する場合、印刷から製版まで多数の工程があるので、印刷日直前の変更に対応するのは困難であるが、本実施形態では、このような場合でも対応できる。
【図面の簡単な説明】
【００４４】
【図１】本発明の一実施形態に係る販売促進物作成システムの全体構成を示す図である。
【図２】同実施形態に係わる販促物作成装置の構成を示すブロック図である。
【図３】同実施形態に係わるテンプレートファイルが表すチラシ広告の雛形を例示した図である。
【図４】同実施形態に係わる販売店情報テーブルのフォーマットを例示した図である。
【図５】同実施形態に係わる商品カテゴリテーブルのフォーマットを例示した図である。
【図６】同実施形態に係わる特売企画テーブルのフォーマットを例示した図である。
【図７】同実施形態に係わる定番商品テーブルのフォーマットを例示した図である。
【図８】同実施形態に係わる商品一覧テーブルのフォーマットを例示した図である。
【図９】同実施形態に係わるＣＰＵ１０２が行う処理の流れを示すフローチャートである。
【図１０】同実施形態に係わるＣＰＵ１０２が行う処理の流れを示すフローチャートである。
【図１１】同実施形態に係わる販売店装置２００が行う処理の流れを示すフローチャートである。
【図１２】同実施形態に係わるＣＰＵ１０２が行う処理の流れを示すフローチャートである。
【図１３】同実施形態に係わるＣＰＵ１０２が行う処理の流れを示すフローチャートである。
【図１４】同実施形態に係わるＣＰＵ１０２が行う処理の流れを示すフローチャートである。
【図１５】同実施形態に係わるＣＰＵ１０２が行う処理の流れを示すフローチャートである。
【図１６】販促物作成装置１００において表示される画面を例示した図である。
【図１７】販促物作成装置１００において表示される画面を例示した図である。
【図１８】販売店装置２００において表示される画面を例示した図である。
【図１９】販売店装置２００において表示される画面を例示した図である。
【図２０】販売店装置２００において表示される画面を例示した図である。
【符号の説明】
【００４５】
１０・・・ネットワーク、１００・・・販促物作成装置、１０１・・・バス、１０２・・・ＣＰＵ、１０３・・・ＲＯＭ、１０４・・・ＲＡＭ、１０５・・・記憶部、１０６・・・通信部、１０７・・・Ｕ／Ｉ部、１０８・・・表示部、２００，２００Ａ，２００Ｂ，２００Ｃ・・・販売店装置、３００・・・複合機、４００Ａ，４００Ｂ，４００Ｃ・・・販売店。
【図１】
2005326931.tif 000003
【図２】
2005326931.tif 000004
【図３】
2005326931.tif 000005
【図４】
2005326931.tif 000006
【図５】
2005326931.tif 000007
【図６】
2005326931.tif 000008
【図７】
2005326931.tif 000009
【図８】
2005326931.tif 000010
【図９】
2005326931.tif 000011
【図１０】
2005326931.tif 000012
【図１１】
2005326931.tif 000013
【図１２】
2005326931.tif 000014
【図１３】
2005326931.tif 000015
【図１４】
2005326931.tif 000016
【図１５】
2005326931.tif 000017
【図１６】
2005326931.tif 000018
【図１７】
2005326931.tif 000019
【図１８】
2005326931.tif 000020
【図１９】
2005326931.tif 000021
【図２０】
2005326931.tif 000022